(57)【要約】      （修正有）【課題】台風雲形状変化をテスト観測することができるエコロジー処理コンピュータ台風対策飛行機を提供する。【解決手段】複数のレーザ照射装置を搭載し、台風雲形状変化をテスト観測するエコロジー処理コンピュータを含む。【選択図】図１
0003159102.tif 000002
【実用新案登録請求の範囲】
【請求項１】
レーザ照射装置を搭載した飛行機エコロジー処理コンピュータ台風。
【請求項２】
ＧＰＳ航法台風ガイドを具備する事を特徴とする請求項１記載のエコロジー処理コンピュータ台風。
【請求項３】
１００万分の１秒高速度カメラを具備する事を特徴とする請求項１記載のエコロジー処理コンピュータ台風。
【請求項４】
電波時計を具備する事を特徴とする請求項１記載のエコロジー処理コンピュータ台風。
【考案の詳細な説明】
【技術分野】
【０００１】
本考案は、従来のエコロジー処理コンピュータ台風としてのレーザ照射装置による台風雲制御エコロジー処理コンピュータ台風に関する。
【背景技術】
【０００２】
人工衛星ひまわりによる雨や雷などの台風雲情報化エコロジー処理コンピュータ台風です。
【考案の開示】
【考案が解決しようとする課題】
【０００３】
しかしながら、人工衛星ひまわりによる台風雲情報化エコロジー処理コンピュータ台風では、情報化までで、台風雲を制御できないという欠点がある。
【０００４】
本考案は、上記実情に鑑みてなされたものであり、レーザ照射装置により、台風雲の生起・移動・消滅の制御をする事を目的としている。
【課題を解決するための手段】
【０００５】
上記目的を達成するため考案は、レーザ照射装置を情報化された台風雲制御に運用する手段を有することであり、次の構成を含むことを特徴としている。
ＧＰＳ航法台風ガイド（宇宙の人工衛星３個の電波を利用して、台風雲の位置を知り）による雨や雷などの台風雲を生起・移動・消滅制御するレーザ照射装置を搭載する飛行機の運用によるものである。
【考案の効果】
【０００６】
本考案により、地上台風被害市街地上空の雨や雷などの台風雲の生起・移動・消滅を電波時計による同時に１００万分の１秒高速度カメラによる情報化で制御する事ができる。
【考案を実施するための最良の形態】
【０００７】
本考案の実施の形態の一例について、図面を参照しながら説明する。
エコロジー処理コンピュータ台風は図１に示すように、ＧＰＳ航法台風ガイド５、により情報化された雨や雷などの台風雲６、に、雲４、蒸発させるレーザ照射装置３、を有する除湿機２、を塔載の飛行機１、で電波時計９、と１００万分の１秒高速度カメラ８、で地上台風被害市街地７、の上空を情報化運用するものである。
【図面の簡単な説明】
【０００８】
【図１】本考案のエコロジー処理コンピュータ台風を示す図である。
【符号の説明】
【０００９】
１          飛行機（レーザ照射装置塔載）
３          レーザ照射装置
４          雲
５          ＧＰＳ航法台風ガイド
６          雨や雷などの台風雲
７          地上台風被害市街地
８          １００万分の１秒高速度カメラ
９          電波時計
【図１】
0003159102.tif 000003
【手続補正書】
【提出日】平成20年12月5日(2008.12.5)
【手続補正１】
【補正対象書類名】実用新案登録請求の範囲
【補正対象項目名】全文
【補正方法】変更
【補正の内容】
【実用新案登録請求の範囲】
【請求項１】
台風雲の生起・移動・消滅を制御するレーザ照射装置を搭載した飛行機エコロジー処理コンピュータ台風機。
【請求項２】
ＧＰＳ航法システムを具備する事を特徴とする請求項１記載のエコロジー処理コンピュータ台風機。
【請求項３】
飛行機から台風雲にねらいを決める情報化装置１００万分の１秒高速度カメラを具備する事を特徴とする請求項１記載のエコロジー処理コンピュータ台風機。
【請求項４】
ＧＰＳ航法システムとの同時性を創る電波時計を具備する事を特徴とする請求項１記載のエコロジー処理コンピュータ台風機。
【手続補正２】
【補正対象書類名】明細書
【補正対象項目名】全文
【補正方法】変更
【補正の内容】
【考案の詳細な説明】
【技術分野】
【０００１】
本考案は、従来のエコロジー処理コンピュータ台風機としてのレーザ照射装置による台風雲制御エコロジー処理コンピュータ台風機に関する。
【背景技術】
【０００２】
人工衛星ひまわりによる雨や雷などの台風雲情報化エコロジー処理コンピュータ台風機です。
【考案の開示】
【考案が解決しようとする課題】
【０００３】
しかしながら、人工衛星ひまわりによる台風雲情報化エコロジー処理コンピュータ台風機では、情報化までで、台風雲を制御できないという欠点がある。
【０００４】
本考案は、上記実情に鑑みてなされたものであり、レーザ照射装置より、台風雲の生起・移動・消滅の制御をする事を目的としている。
【課題を解決するための手段】
【０００５】
上記目的を達成するため考案は、レーザ照射装置を情報化された台風雲制御に運用する手段を有することであり、次の構成を含むことを特徴としている。
ＧＰＳ航法システム（宇宙の人工衛星３個の電波を利用して、台風雲の位置を知り）による雨や雷などの台風雲を生起・移動・消滅制御するレーザ照射装置を搭載する飛行機の運用によるものである。
【考案の効果】
【０００６】
本考案により、地上台風被害市街地上空の雨や雷などの台風雲の生起・移動・消滅を電波時計による同時に１００万分の１秒高速度カメラによる情報化で制御する事ができる。
【考案を実施するための最良の形態】
【０００７】
本考案の実施の形態の一例について、図面を参照しながら説明する。
エコロジー処理コンピュータ台風機は図１に示すように、ＧＰＳ航法システム５、により情報化された雨や雷などの台風雲６、に、雲４、蒸発させるレーザ照射装置３、を塔載の飛行機１、で電波時計９、と１００万分の１秒高速度カメラ８、で地上台風被害市街地７、の上空を情報化運用するものである。
【図面の簡単な説明】
【０００８】
【図１】本考案のエコロジー処理コンピュータ台風機を示す図である。
【符号の説明】
【０００９】
１          飛行機（レーザ照射装置とＧＰＳ航法システム塔載）
３          レーザ照射装置
４          雲
５          ＧＰＳ航法システム
６          雨や雷などの台風雲
７          地上台風被害市街地
８          １００万分の１秒高速度カメラ
９          電波時計
【手続補正書】
【提出日】平成21年2月12日(2009.2.12)
【手続補正１】
【補正対象書類名】明細書
【補正対象項目名】全文
【補正方法】変更
【補正の内容】
【考案の詳細な説明】
【技術分野】
【０００１】本考案は、従来のエコロジー処理コンピュータ台風対策飛行機としてのエネルギー照射のレーザ照射装置による台風雲制御エコロジー処理コンピュータ台風対策飛行機に関する。
【背景技術】
【０００２】人工衛星ひまわりによる雨や雷などの台風雲情報化エコロジー処理コンピュータ台風対策航空機です。
【考案の開示】
【考案が解決しようとする課題】
【０００３】しかしながら、人工衛星ひまわりによる台風雲情報化エコロジー処理コンピュータ台風対策飛行機は、情報化までで、台風雲を制御できないという欠点がある。【０００４】  本考案は、上記実情に鑑みてなされたものであり、レーザー照射装置の照射エネルギーにより、台風雲の一部変化に始まる新しい形状の雲の生起・移動・消滅の制御をする事を目的としている。
【課題を解決するための手段】
【０００５】上記目的を達成するため考案は、レーザ照射装置の照射エネルギーを情報化された台風雲制御に運用する手段を有することであり、次の構成を含むことを特徴としている。ＧＰＳ航法システム（宇宙の人工衛星３個の電波を利用して、飛行機が自分の位置を知り）、台風雲と整合し台風雲の形状変化を起し、新しい台風雲の生起・移動・消滅制御するエネルギー照射のレーザ照射装置とその運用制御コンピュータを塔載する飛行機の運用によるものである。
【考案の効果】
【０００６】本考案により、地上台風被害市街地上空の雨や雷などの台風雲をレーザエネルギー照射により雲の一部が変化する事から新たな形状の雲が生起・移動・消滅する運用制御コンピュータを電波時計による同時に１００万分の１秒高速度カメラによる情報化で制御する事ができる。
【図面の簡単な説明】
【０００７】
【図１】本考案のエコロジー処理コンピュータ台風対策飛行機を示す図である。レーザ照射装置とその運用制御コンピュータとＧＰＳ航法システム塔載の飛行機１、レーザ照射装置とその運用制御コンピュータ３、雲４、飛行機の位置を知らせるＧＰＳ航法システム５、と整合させる雨や雷などの台風雲６、地上台風被害市街地７、１００万分の１秒高速度カメラ８、電波時計９です。
【考案を実施するための最良の形態】
【０００８】本考案の実施の形態の一例について、図面を参照しながら説明する。エコロジー処理コンピュータ台風対策飛行機は図１に示すように、ＧＰＳ航法システム５、により情報化された雨や雷などの台風雲６、に雲４、を蒸発させるエネルギー照射のレーザ照射装置とその運用制御コンピュータ３、を塔載の飛行機１、で電波時計９、と１００万分の１秒高速度カメラ８、で地上台風被害市街地７、の上空を情報化運用するものである。
【符号の説明】
【０００９】  １          飛行機（レーザ照射装置とその運用制御コンピュータとＧＰＳ航法システム塔載）  ３          レーザ照射装置  ４          雲  ５          ＧＰＳ航法システム  ６          雨や雷などの台風雲  ７          地上台風被害市街地  ８          １００万分の１秒高速度カメラ  ９          電波時計
【手続補正２】
【補正対象書類名】実用新案登録請求の範囲
【補正対象項目名】全文
【補正方法】変更
【補正の内容】
【実用新案登録請求の範囲】
【請求項１】
台風雲の形状変化とそれによる新しい雲の生起・移動・消滅を制御するエネルギー照射のレーザ照射装置とその運用制御コンピュータを塔載したエコロジー処理コンピュータ台風対策飛行機。
【請求項２】
台風雲との位置を整合させるため飛行機の位置を知らせるＧＰＳ航法システムを具備する事を特徴とするエコロジー処理コンピュータ台風対策飛行機。
【請求項３】
飛行機のレーザ照射装置から台風雲にエネルギー照射のねらいを定めるための同機塔載の情報化装置である１００万分の１秒高速度カメラを具備する事を特徴とする請求項１記載のエコロジー処理コンピュータ台風対策飛行機。
【請求項４】
ＧＰＳ航法システムとそれにより自分の位置を知る飛行機の同時性を創る電波時計を具備する事を特徴とする請求項１記載のエコロジー処理コンピュータ台風対策飛行機。
【手続補正書】
【提出日】平成21年4月15日(2009.4.15)
【手続補正１】
【補正対象書類名】明細書
【補正対象項目名】０００９
【補正方法】変更
【補正の内容】
【０００９】
１          飛行機（レーザ照射装置とその運用制御コンピュータとＧＰＳ航法システム搭載）
３          レーザ照射装置（太陽光集光装置と光ファイバーケーブル伝送装置で接続した太陽光集光ＣＯ２レーザ照射装置）
４          雲
５          ＧＰＳ航法システム
６          雨や雷などの台風雲
７          地上台風被害市街地
８          １００万分の１秒高速度カメラ
９          電波時計
【手続補正２】
【補正対象書類名】実用新案登録請求の範囲
【補正対象項目名】全文
【補正方法】変更
【補正の内容】
【実用新案登録請求の範囲】
【請求項１】
台風雲の形状変化とそれによる新しい雲の生起・移動・消滅を制御する太陽光集光装置と光ファイバーケーブル伝送装置で接続した太陽光集光ＣＯ２レーザー照射装置で代表されるエネルギー照射のレーザ照射装置とその運用制御コンピュータを搭載したエコロジー処理コンピュータ台風対策飛行機。
【請求項２】
台風雲との位置を整合させるため飛行機の位置を知らせるＧＰＳ航法システムを具備する事を特徴とする請求項１記載のエコロジー処理コンピュータ台風対策飛行機。
【請求項３】
飛行機のレーザ照射装置から台風雲にエネルギー照射のねらいを定めるための同機搭載の情報化装置である100万分の１秒高速度カメラを具備する事を特徴とする請求項１記載のエコロジー処理コンピュータ台風対策飛行機。
【請求項４】
ＧＰＳ航法システムとそれにより自分の位置を知る飛行機の同時性を創る電波時計を具備する事を特徴とする請求項１記載のエコロジー処理コンピュータ台風対策飛行機。Ｃ．Ｇ合成の絵による桜の開花をシミュレーションとして情報化してきた情報処理コンピュータ、その情報を使用して太陽エネルギー制御による生物学的仕事をさせて日本列島に於ける情報化を桜前線と呼び、この環境技術の向上地球温暖化ＣＯ２対策等含めてエコロジー処理コンピュータと称します。他にもエネルギー一定のエネルギー・フィールドに於ける移相制御の情報化を生物学、化学、物理学、地学的仕事の情報化をエコロジー処理と呼びます。則ち従来のシミュレーションの情報処理コンピュータの情報により4つの仕事(生物学、化学、物理学、地学的仕事）を情報化する環境技術の向上をエコロジー処理コンピュータと呼んでおります。
【手続補正書】
【提出日】平成21年6月16日(2009.6.16)
【手続補正１】
【補正対象書類名】実用新案登録請求の範囲
【補正対象項目名】請求項１
【補正方法】変更
【補正の内容】
【請求項１】
Ｃ.Ｇ.合成の絵による桜の開花をシュミレーションとして情報化してきた情報処理コンピュータ、その情報を使用して太陽エネルギー制御による温室のように生物学的仕事をさせて日本列島に於ける情報化制御の桜前線とするための環境技術の向上、地球温暖化ＣＯ２対策等含めてエコロジー処理コンピュータと呼び、一般化したエネルギー一定のエネルギー・フィールドに於ける移相制御の情報化である生物学、化学、物理学、地学的仕事の情報化をエコロジー処理とし、従来のシュミレーションの情報処理コンピュータの情報によりエコロジー処理するエコロジー処理コンピュータとするために、レーザ照射装置のレーザ照射による台風雲の形状変化とそれによる新しい雲の生起・移動・消滅を制御する太陽光集光装置と光ファイバーケーブル伝送装置で接続した太陽光集光ＣＯ２レーザ照射装置で代表されるエネルギー照射のレーザ照射装置とその運用制御コンピュータを塔載したエコロジー処理コンピュータ台風対策飛行機。
【手続補正２】
【補正対象書類名】実用新案登録請求の範囲
【補正対象項目名】請求項４
【補正方法】変更
【補正の内容】
【請求項４】
ＧＰＳ航法システムとそれにより自分の位置を知る飛行機の同時性を創る電波時計を具備したコンピュータを具備する事を特徴とする請求項１記載のエコロジー処理コンピュータ台風対策飛行機。
【手続補正書】
【提出日】平成21年8月14日(2009.8.14)
【手続補正１】
【補正対象書類名】実用新案登録請求の範囲
【補正対象項目名】請求項１
【補正方法】変更
【補正の内容】
【請求項１】
わかりやすくＣＧ合成の絵による桜の開花をシュミレーションとして情報化してきた情報処理コンピュータ、その情報を使用して太陽エネルギーの利用による温室のように生物学的仕事をさせて日本列島に於ける情報化の桜前線を作るための環境技術の向上、まで含めてエコロジー処理コンピュータと呼び、エネルギー一定のエネルギー・フィールドに於ける移相制御の情報化とする生物学、化学、物理学、地学的仕事の情報化をエコロジー処理と呼んでその制御系の考案としてエコロジー処理コンピュータとするために、レーザ照射装置のレーザ照射による台風雲の形状変化とそれによる新しい雲の生起・移動・消滅を制御する太陽光集光装置と光ファイバーケーブル伝送装置で接続した太陽光集光ＣＯ２レーザ照射装置で代表されるエネルギー照射のレーザ照射装置とその運用制御コンピュータを塔載したエコロジー処理コンピュータ台風対策飛行機。
【手続補正２】
【補正対象書類名】実用新案登録請求の範囲
【補正対象項目名】請求項４
【補正方法】変更
【補正の内容】
【請求項４】
ＧＰＳ航法システムとそれにより台風雲に対する飛行機の自分の位置を知るためと飛行機のレーザ照射装置のエネルギーに照射の同時性を創る電波時計を具備したコンピュータを具備する事を特徴とする請求項１記載のエコロジー処理コンピュータ台風対策飛行機。
【手続補正書】
【提出日】平成21年10月14日(2009.10.14)
【手続補正１】
【補正対象書類名】実用新案登録請求の範囲
【補正対象項目名】請求項１
【補正方法】変更
【補正の内容】
【請求項１】
ＣＧ合成の動画によるチューリップの開花をシュミレーションとしてエネルギー一定のエネルギー・フィールドに於ける移相制御の情報化してきた情報処理コンピュータ、その情報を使用する事により環境技術の向上として太陽エネルギーの利用による温室のように大気エネルギーを扉開閉等による温湿度時間制御を追加してチューリップの開花の動画アナロジー制御により自然花開花の生物学的仕事エコロジーの処理を果しますが、情報処理コンピュータに「ケシゴム付きえんぴつのように」追加した環境技術の向上のエネルギー制御デバイス（発明・装置・工夫・わな・仕掛け）による生物学、化学、物理学、地学的仕事の情報化をエコロジー処理コンピュータと呼ぶ事にするため、ここに台風雲の形状変化をシュミレーションとしてきた情報処理コンピュータに於ける情報を使用する事により環境技術の向上として飛行機に塔載のレーザ照射装置のレーザ照射による台風雲の形状変化とそれによる新しい雲の生起・移動・消滅を制御する太陽光集光装置と光ファイバーケーブル伝送装置で接続した太陽光集光ＣＯ２レーザ照射装置で代表されるエネルギー照射のレーザ照射装置と台風雲に照射するエネルギー照射のレーザ照射装置と台風雲に照射するエネルギー制御を追加して台風雲形状変化の動画アナロジー制御により台風消滅実験の物理学、化学的仕事エコロジーの処理を果すエコロジー処理コンピュータ台風対策飛行機。
【手続補正書】
【提出日】平成21年11月20日(2009.11.20)
【手続補正１】
【補正対象書類名】実用新案登録請求の範囲
【補正対象項目名】請求項１
【補正方法】変更
【補正の内容】
【請求項１】
ＣＧ合成の動画によるチューリップの開花をシミュレーションとしてきた情報処理コンピュータ。その情報を使用する事により環境技術の向上として太陽エネルギーの利用による温室のように扉開閉等による温湿度時間制御をするエネルギー制御デバイスを追加してチューリップの開花の動画アナロジー制御により自然花開花の生物学的仕事エコロジーの処理を果しますが、情報処理コンピュータに「ケシゴム付きえんぴつのように」追加した環境技術の向上のエネルギー制御デバイスによる生物学、化学、物理学、地学的仕事の情報化をエコロジー処理コンピュータと呼ぶ事にするため、ここに台風雲の形状変化をシミュレーションとしてきた情報処理コンピュータに於ける情報を使用する事により環境技術の向上として飛行機に塔載のレーザ照射装置のレーザ照射による台風雲の形状変化とそれによる新しい雲の生起・移動・消滅を制御する太陽光集光装置と光ファイバーケーブル伝送装置で接続した太陽光集光ＣＯ２レーザ照射装置で代表されるエネルギー照射のレーザ照射装置と台風雲に照射するエネルギー照射のレーザ照射装置と台風雲に照射するエネルギー制御デバイスを追加して台風雲形状変化の動画アナロジー制御により台風雲消滅実験の物理学、化学的仕事エコロジーの処理を果す飛行機のエネルギー制御デバイスと共にエコロジー処理コンピュータを構成する（例えばレーザ照射のエネルギー制御にＦ-３５のホバリング機能を情報処理コンピュータにエネルギー制御デバイスを追加した構成とする。）エコロジー処理コンピュータ台風対策飛行機。
【手続補正書】
【提出日】平成22年1月15日(2010.1.15)
【手続補正１】
【補正対象書類名】実用新案登録請求の範囲
【補正対象項目名】請求項１
【補正方法】変更
【補正の内容】
【請求項１】
太陽光集光装置と光ファイバーケーブル伝送装置で接続した太陽光集光ＣＯ２レーザ照射装置で代表されるエネルギー照射のレーザ照射装置で台風雲に照射するエネルギーとそれを塔載している飛行機例えばホバリング機能を有したＦ−３５を含めたエネルギー制御のコンピュータコントロールによるエコロジーとしての台風雲形状変化をテストするエコロジー処理コンピュータを構成するエコロジー処理コンピュータ台風対策飛行機。
【手続補正書】
【提出日】平成22年3月2日(2010.3.2)
【手続補正１】
【補正対象書類名】実用新案登録請求の範囲
【補正対象項目名】全文
【補正方法】変更
【補正の内容】
【実用新案登録請求の範囲】
【請求項１】
太陽光集光装置を光ファイバーケーブル伝送装置で接続した太陽光集光ＣＯ２レーザ照射装置で代表されるエネルギー照射の複数のレーザ照射装置の台風雲に照射するエネルギーとそれらを塔載している飛行機を含めて台風雲に対する全体のエネルギー制御を一体化した飛行機のコンピュータコントロールによりエコロジーとしての台風雲形状変化をテスト観測するエコロジー処理コンピュータを構成するエコロジー処理コンピュータ台風対策飛行機。